(57)【要約】【課題】本発明は、消費する電力を低減して電池の消耗を減らすことができるリモコン装置を提供する。【解決手段】本発明は、機器を遠隔操作することが可能なリモコン装置２１である。本発明に係るリモコン装置２１は、入力部２１ａと、信号生成部２１ｂと、出力部２１ｃと、電流量切替部２１ｄとを備える。入力部２１ａは、機器に対して要求する操作を操作情報として入力する。信号生成部２１ｂは、入力部２１ａで入力した操作情報に基づき、機器を遠隔操作するための操作信号を生成する。出力部２１ｃは、信号生成部２１ｂで生成した操作信号を、機器に対して無線で出力する。電流量切替部２１ｄは、出力部２１ｃに供給する電流量を切替える。【選択図】図２
2012239115.tif 000002
【特許請求の範囲】
【請求項１】
機器を遠隔操作することが可能なリモコン装置であって、
前記機器に対して要求する操作を操作情報として入力する入力部と、
前記入力部で入力した前記操作情報に基づき、前記機器を遠隔操作するための操作信号を生成する信号生成部と、
前記信号生成部で生成した前記操作信号を、前記機器に対して無線で出力する出力部と、
前記出力部に供給する電流量を切替える電流量切替部と
を備えるリモコン装置。
【請求項２】
前記出力部は、前記操作信号を光信号に変換する少なくとも一つの光源を有し、
前記電流量切替部は、前記出力部に供給する電流量を切替え、前記光源の輝度、または点灯する前記光源の個数を変更する請求項１に記載のリモコン装置。
【請求項３】
前記光源は、前記光源から出射する光の指向性が異なる２以上の種類を有し、
前記電流量切替部は、電流を供給する前記光源の種類を切替える請求項２に記載のリモコン装置。
【請求項４】
前記光源は、前記光源から出射する光の指向性が異なる第１光源と、第２光源とを有し、
前記第１光源は、前記第２光源に比べて出射する光の指向性が強く、より遠距離まで前記操作信号を出力することができ、
前記第２光源は、前記第１光源に比べて、より広い範囲に前記操作信号を出力することができ、
前記電流量切替部により、前記第１光源および前記第２光源の一方に電流を供給している場合に、前記電流量切替部は、前記第１光源および前記第２光源の他方から前記機器に対して、前記操作信号に比べて少ない電流量で出力できる確認信号を出力できるように電流を供給する請求項３に記載のリモコン装置。
【請求項５】
前記信号生成部は、前記操作信号を前記出力部から出力するときの電流量が異なる２以上の種類の信号フォーマットを用いて前記操作信号を生成することができ、
前記電流量切替部は、前記信号生成部で生成する前記操作信号に用いる前記信号フォーマットを変更することで、前記出力部に供給する電流量を切替える請求項１〜請求項４のいずれか一項に記載のリモコン装置。
【請求項６】
表示装置と、
前記表示装置を遠隔操作することが可能なリモコン装置と、
を備える表示システムであって、
前記リモコン装置は、
前記表示装置に対して要求する操作を操作情報として入力する入力部と、
前記入力部で入力した前記操作情報に基づき、前記表示装置を遠隔操作するための操作信号を生成する信号生成部と、
前記信号生成部で生成した前記操作信号を、前記表示装置に対して無線で出力する出力部と、
前記出力部が前記操作信号を出力するとき、前記出力部に供給する電流量を切替える電流量切替部と
を有する表示システム。
【発明の詳細な説明】
【技術分野】
【０００１】
本発明は、機器を遠隔操作することが可能なリモコン装置、および表示装置を遠隔操作することが可能なリモコン装置を備える表示システムに関する。
【背景技術】
【０００２】
従来より、機器を遠隔操作することが可能なリモコン装置に関し、種々技術が開示されている。たとえば、特許文献１に開示してあるリモコン装置では、機器を遠隔操作することに加えて、ユーザが選択した機器について操作キーを設定することができる。具体的に、リモコン装置は、操作したい機器に向けた状態で所定のキーを押すことで、リモコン装置からの信号を送信できる範囲内の機器からＩＤコードを受信し、ＩＤコードを受信した機器の中からユーザが選択した機器についての操作キーを設定する。
【先行技術文献】
【特許文献】
【０００３】
【特許文献１】特開２００１−２４５３７１号公報
【発明の概要】
【発明が解決しようとする課題】
【０００４】
リモコン装置は、機器が高性能化することに伴い、特許文献１のように複雑な機能を有するようになり、消費する電力が多くなっている。しかし、リモコン装置は、電池で駆動するため、消費する電力が多くなると電池が短期間で消耗し、頻繁に電池を交換する必要が生じ、ユーザの負担が大きくなるという問題があった。
【０００５】
また、リモコン装置で遠隔操作する機器が表示装置である表示システムには、テレビ、プロジェクタなど、さまざまな種類の表示装置が存在する。表示装置がテレビの場合、通常の使用において、リモコン装置と表示装置との距離はほぼ一定で、表示装置のほぼ正面にリモコン装置が位置することが多い。しかし、表示装置がプロジェクタの場合、テレビのように映像を視聴する使用以外にプレゼンテーションに使用することがあり、プレゼンテーションの使用において、リモコン装置と表示装置との距離は使用状況により変化し、表示装置に対するリモコン装置の位置も変化する。
【０００６】
そのため、リモコン装置は、使用状況の変化に対応すべく、機器を遠隔操作することができる距離や範囲を、できる限り遠く、広くなるように駆動するため、消費する電力が多くなるという問題があった。
【０００７】
そこで、本発明は、斯かる事情に鑑みてなされたものであり、消費する電力を低減して電池の消耗を減らすことができるリモコン装置を提供することを目的とする。また、本発明は、消費する電力を低減することができるリモコン装置を備える表示システムを提供することを目的とする。
【課題を解決するための手段】
【０００８】
上記目的を達成するために第１発明に係るリモコン装置は、機器を遠隔操作することが可能なリモコン装置であって、機器に対して要求する操作を操作情報として入力する入力部と、入力部で入力した操作情報に基づき、機器を遠隔操作するための操作信号を生成する信号生成部と、信号生成部で生成した操作信号を、機器に対して無線で出力する出力部と、出力部に供給する電流量を切替える電流量切替部とを備える。
【０００９】
第１発明では、ユーザが使用状況の変化に対応して電流量切替部を操作して、電流量切替部が、出力部に供給する電流量を切替えて電流量を制限することで、消費する電力を低減して電池の消耗を減らすことができる。
【００１０】
また、第２発明に係るリモコン装置は、第１発明において、出力部は、操作信号を光信号に変換する少なくとも一つの光源を有し、電流量切替部は、出力部に供給する電流量を切替え、光源の輝度、または点灯する光源の個数を変更する。
【００１１】
第２発明では、光源の輝度、または点灯する光源の個数を変更することで、出力部に供給する電流量を制限して、消費する電力を低減することができる。
【００１２】
また、第３発明に係るリモコン装置は、第２発明において、光源は、光源から出射する光の指向性が異なる２以上の種類を有し、電流量切替部は、電流を供給する光源の種類を切替える。
【００１３】
第３発明では、たとえば、電流量切替部が、操作信号の届く範囲が広いが、到達距離が短い光源から、操作信号の届く範囲が狭いが、到達距離が長い光源へと電流を供給する光源の種類を切替えることで、光源に供給する電流量を制限しても、操作信号の届く距離を維持することができる。
【００１４】
また、第４発明に係るリモコン装置は、第３発明において、光源は、光源から出射する光の指向性が異なる第１光源と、第２光源とを有し、第１光源は、第２光源に比べて出射する光の指向性が強く、より遠い距離まで操作信号を出力することができ、第２光源は、第１光源に比べて、より広い範囲に操作信号を出力することができ、電流量切替部により、第１光源および第２光源の一方に電流を供給している場合に、電流量切替部は、第１光源および第２光源の他方から機器に対して、操作信号に比べて少ない電流量で出力できる確認信号を出力できるように電流を供給する。
【００１５】
第４発明では、電流量切替部により、第１光源および第２光源の一方に電流を供給している場合に、電流量切替部は、第１光源および第２光源の他方から機器に対して、操作信号に比べて少ない電流量で出力できる確認信号を出力できるように電流を供給するので、第１光源および第２光源の一方から出力した操作信号が届かない範囲であるが、第１光源および第２光源の他方から出力した操作信号が届く範囲内に機器が存在するか否かを確認することができる。
【００１６】
また、第５発明に係るリモコン装置は、第１〜第４発明のいずれか一つにおいて、信号生成部は、操作信号を出力部から出力するときの電流量が異なる２以上の種類の信号フォーマットを用いて操作信号を生成することができ、電流量切替部は、信号生成部で生成する操作信号に用いる信号フォーマットを変更することで、出力部に供給する電流量を切替える。
【００１７】
第５発明では、電流量切替部が、信号生成部で生成する操作信号に用いる信号フォーマットを変更することで、出力部に供給する電流量を切替えることができ、操作信号を出力するときに出力部で消費する電力をより少ない信号フォーマットに変更して、消費する電力を低減して電池の消耗を減らすことができる。
【００１８】
上記目的を達成するために第６発明に係る表示システムは、表示装置と、表示装置を遠隔操作することが可能なリモコン装置とを備える表示システムであって、リモコン装置は、表示装置に対して要求する操作を操作情報として入力する入力部と、入力部で入力した操作情報に基づき、表示装置を遠隔操作するための操作信号を生成する信号生成部と、信号生成部で生成した操作信号を、表示装置に対して無線で出力する出力部と、出力部が操作信号を出力するとき、出力部に供給する電流量を切替える電流量切替部とを有する。
【００１９】
第６発明では、表示装置と、表示装置を遠隔操作することが可能なリモコン装置とを備える表示システムであって、ユーザが使用状況の変化に対応してリモコン装置の電流量切替部を操作して、電流量切替部が、出力部に供給する電流量を切替えて電流量を制限することで、リモコン装置の消費する電力を低減して電池の消耗を減らすことができる。
【発明の効果】
【００２０】
上記構成によれば、本発明に係るリモコン装置は、ユーザが使用状況の変化に対応して電流量切替部を操作して、電流量切替部が、出力部に供給する電流量を切替えて電流量を制限することで、消費する電力を低減して電池の消耗を減らすことができる。
【図面の簡単な説明】
【００２１】
【図１】本発明の実施の形態１に係る表示システムの構成を示す概略図である。
【図２】本発明の実施の形態１に係るリモコン装置の構成を示すブロック図である。
【図３】本発明の実施の形態１に係るリモコン装置の外観の構成を示す概略図である。
【図４】本発明の実施の形態２に係るリモコン装置の外観の構成を示す概略図である。
【図５】遠距離用赤外ＬＥＤが出射する光の範囲を示す模式図である。
【図６】広角用赤外ＬＥＤが出射する光の範囲を示す模式図である。
【図７】広角用赤外ＬＥＤから操作信号を出力するとき、遠距離用赤外ＬＥＤから出力する確認信号を示す波形図である。
【図８】信号生成部が、信号フォーマットＡおよび信号フォーマットＢを用いて生成した操作信号の波形図である。
【図９】本発明の実施の形態５に係るリモコン装置の外観の構成を示す概略図である。
【発明を実施するための形態】
【００２２】
以下、本発明の実施の形態について、図面を参照しながら詳細に説明する。
（実施の形態１）
図１は、本発明の実施の形態１に係る表示システム１の構成を示す概略図である。図１に示す表示システム１は、表示装置２と、表示装置２を遠隔操作することが可能なリモコン装置２１を備えている。
【００２３】
表示装置２は、液晶プロジェクタであり、入力端子９、ＡＤＣ＆ＨＤＭＩレシーバ１０、映像信号処理回路１１、ＤＡＣ１２、メインマイコン１３、液晶パネルドライブ＆光源１４、光学系１５、ランプ１６、電源ユニット１７、電源プラグ１８、コネクタ１９、リモコン入力部２０を備えている。
【００２４】
入力端子９は、映像信号を入力する端子であり、アナログ映像信号を入力するアナログ入力（Ｖｉｄｅｏ、Ｓ−Ｖｉｄ１ｅｏ、コンポーネント）端子や、デジタル映像信号を入力するＨＤＭＩ（High-Definition  Multimedia  Interface）入力端子などである。ＡＤＣ＆ＨＤＭＩレシーバ１０は、入力端子９から入力したアナログ映像信号またはデジタル映像信号を入力する入力部である。ただし、入力端子９から入力した信号がアナログ映像信号である場合、ＡＤＣ＆ＨＤＭＩレシーバ１０のＡＤＣ（Analog-Digital  Converter）部が、入力したアナログ映像信号をデジタル映像信号に変換する。
【００２５】
映像信号処理回路１１は、ＡＤＣ＆ＨＤＭＩレシーバ１０から入力した映像信号（デジタル映像信号）に対して、所定の映像補正を行なう回路である。ＤＡＣ（Digital-Analog  Converter）１２は、映像信号処理回路１１で映像補正を行なったデジタル映像信号をアナログ映像信号に変換する変換回路である。
【００２６】
メインマイコン１３は、映像信号処理回路１１や液晶パネルドライブ＆光源１４の動作を制御する制御回路である。液晶パネルドライブ＆光源１４は、メインマイコン１３の制御により、ＤＡＣ１２で変換したアナログ映像信号を、光学系１５を経由してスクリーンに投写する。光学系１５は、液晶パネルドライブ＆光源１４から出力した映像を、スクリーンに投写するためのレンズなどで構成されている。
【００２７】
ランプ１６は、液晶パネルドライブ＆光源１４に光を供給する光源で、ハロゲンランプ、レーザ光源などである。ランプ１６は、コネクタ１９を介してメインマイコン１３に接続され、メインマイコン１３により輝度などを制御されている。電源ユニット１７は、電源プラグ１８から供給するＡＣ電源をＤＣ電源に変換して、コネクタ１９を介して接続するランプ１６に電力を供給している。また、電源ユニット１７は、各回路の電源に電力を供給している。
【００２８】
リモコン入力部２０は、リモコン装置２１から出力される操作信号を入力するインターフェースである。なお、リモコン装置２１から出力される操作信号は、主として赤外線信号であるので、リモコン入力部２０は、赤外線を受光することができる光センサを有している。
【００２９】
なお、表示装置２は、映像を表示する以外に、後述する情報も重畳して表示することができるようにＯＳＤ（On-Screen  Display）表示の機能を有している。ＯＳＤ表示を行なうための重畳信号は、映像信号処理回路１１で生成され、ＤＡＣ１２に出力される。
【００３０】
図２は、本発明の実施の形態１に係るリモコン装置２１の構成を示すブロック図である。図２に示すリモコン装置２１は、入力部２１ａ、信号生成部２１ｂ、出力部２１ｃ、電流量切替部２１ｄを備えている。
【００３１】
入力部２１ａは、表示装置２に対して要求する操作を操作情報（「電源入り」など）として入力する。信号生成部２１ｂは、入力部２１ａで入力した操作情報に基づき、表示装置２を遠隔操作するための操作信号を生成する。出力部２１ｃは、信号生成部２１ｂで生成した操作信号を、表示装置２に対して無線で出力する。電流量切替部２１ｄは、出力部２１ｃに供給する電流量を切替える。
【００３２】
具体的に、入力部２１ａは、操作情報を入力するボタンやスイッチなどである。出力部２１ｃは、信号生成部２１ｂで生成した操作信号を光信号（赤外線信号）に変換する赤外ＬＥＤ２２である。なお、リモコン装置２１から操作対象の機器（表示装置２）に対して出力する操作信号は、赤外線信号が一般的であるが、本発明はこれに限定されるものではなく、無線で出力することができれば、他の波長の電磁波でもよい。
【００３３】
リモコン入力部２０から出力した操作信号は、表示装置２のリモコン入力部２０から入力され、メインマイコン１３に送られる。メインマイコン１３は、入力した操作信号を解析し、解析した結果に基づき映像信号処理回路１１や液晶パネルドライブ＆光源１４の動作を制御する。たとえば、ユーザーがリモコン装置２１の電源ボタンを押下した場合、リモコン装置２１は、「電源入り」の操作信号を表示装置２に出力し、表示装置２は、入力した操作信号に基づき、「電源入り」のシーケンス（ランプ点灯やファン制御など）を実行する。また、ユーザーがリモコン装置２１の上下左右ボタンを押下した場合、リモコン装置２１は、ＯＳＤ表示しているメニューのカーソルを上下左右に移動させる操作信号を表示装置２に出力し、表示装置２は、入力した操作信号に基づき、ＯＳＤ表示しているメニューのカーソルを上下左右に移動させるシーケンスを実行する。
【００３４】
なお、リモコン装置２１は、電源として電池２３を用いている。そのため、リモコン装置２１は、消費する電力が多くなると電池２３が短期間で消耗し、頻繁に電池２３を交換する必要が生じ、ユーザの負担が大きくなる。
【００３５】
そこで、リモコン装置２１は、出力部２１ｃに供給する電流量を切替える電流量切替部２１ｄを備え、出力部２１ｃに供給する電流量を制限することで、消費する電力を低減して電池の消耗を減らしている。以下に、電流量切替部２１ｄの操作について詳しく説明する。
【００３６】
電流量切替部２１ｄは、ユーザーが入力部２１ａから入力した切替信号に基づき出力部２１ｃに供給する電流量を切替える。そのため、入力部２１ａは、低消費電力モード切替スイッチを有している。図３は、本発明の実施の形態１に係るリモコン装置２１の外観の構成を示す概略図である。図３に示すリモコン装置２１は、入力部２１ａを構成するボタン、スイッチが図示してあり、たとえば、電源ボタン２１０、上下左右ボタン２１１、低消費電力モード切替スイッチ２１２を有している。
【００３７】
ユーザが、低消費電力モード切替スイッチ２１２を操作して、「切」の状態から「入」の状態にすると、入力部２１ａは、「入」の状態の切替信号を生成し、電流量切替部２１ｄに出力する。電流量切替部２１ｄは、「入」の状態の切替信号に基づき、電流制限回路（抵抗値変更など）を動作し、出力部２１ｃに供給する電流量を制限する。出力部２１ｃに供給する電流量を制限すると、赤外ＬＥＤ２２の輝度が小さくなり、リモコン装置２１から表示装置２へ出力する操作信号の到達距離が短くなるが、リモコン装置２１で消費する電力は低減することができる。リモコン装置２１と表示装置２との距離は、常にリモコン装置２１から表示装置２へ出力する操作信号の最大到達距離にあるわけでないため、ユーザが必要に応じて低消費電力モード切替スイッチ２１２を操作することで、リモコン装置２１の機能を制限することなく、リモコン装置２１で消費する電力を低減することができる。
【００３８】
なお、ユーザが、低消費電力モード切替スイッチ２１２を操作して、「入」の状態から「切」の状態にすると、入力部２１ａは、「切」の状態の切替信号を生成し、電流量切替部２１ｄに出力する。電流量切替部２１ｄは、「切」の状態の切替信号に基づき、電流制限回路を停止し、出力部２１ｃに供給する電流量を制限しない状態に戻る。出力部２１ｃに供給する電流量を制限しない状態に戻ると、赤外ＬＥＤ２２の輝度が大きくなり、リモコン装置２１から表示装置２へ出力する操作信号の到達距離が長くなる。
【００３９】
また、低消費電力モード切替スイッチ２１２は、図３で示したように機械式のスイッチに限定されるものではなく、電気式のプッシュボタンなどでもよい。電気式のプッシュボタンの場合、入力部２１ａを制御する図示していないマイコンが、プッシュボタンが押下したのを認識し、切替信号を生成して、電流量切替部２１ｄに出力する。
【００４０】
以上のように、本発明の実施の形態１に係るリモコン装置２１は、ユーザが使用状況の変化に対応して電流量切替部２１ｄを操作して、電流量切替部２１ｄが、出力部２１ｃに供給する電流量を切替えて電流量を制限することで、消費する電力を低減して電池の消耗を減らすことができる。
【００４１】
なお、電流量切替部２１ｄは、ユーザが、低消費電力モード切替スイッチ２１２を操作して、出力部２１ｃに供給する電流量を切替える構成に限定するものではなく、たとえば、電池の容量が一定量以下になった場合、自動的に切替える構成であってもよい。また、電流量切替部２１ｄは、電流制限回路を動作または停止の二つの状態の切替える構成に限定するものではなく、電流制限回路の状態を多段階に切替える構成であってもよい。さらに、リモコン装置２１は、遠隔操作する対象となる機器を表示装置２に限定するものではない。
【００４２】
（実施の形態２）
図４は、本発明の実施の形態２に係るリモコン装置３１の外観の構成を示す概略図である。図４に示すリモコン装置３１は、入力部２１ａが、低消費電力モード切替スイッチ２１２に代えて、広角モード切替スイッチ３２を有し、出力部２１ｃが、赤外ＬＥＤ２２に代えて、遠距離用赤外ＬＥＤ３３、広角用赤外ＬＥＤ３４を有する構成以外、図２および図３に示すリモコン装置２１に示す構成と同じであるため、同じ構成要素に、同じ符号を付して詳細な説明を繰り返さない。また、リモコン装置３１を、図１に示す表示システム１のリモコン装置２１に代えて用いることも可能である。
【００４３】
出力部２１ｃが有する二つの赤外ＬＥＤ（遠距離用赤外ＬＥＤ３３，広角用赤外ＬＥＤ３４）は、光源から出射する光の指向性が異なる。遠距離用赤外ＬＥＤ３３は、広角用赤外ＬＥＤ３４に比べて出射する光の指向性が強く、より遠い距離まで操作信号を出力することができる。一方、広角用赤外ＬＥＤ３４は、遠距離用赤外ＬＥＤ３３に比べて光の指向性が弱いが、より広い範囲に操作信号を出力することができる。
【００４４】
図５は、遠距離用赤外ＬＥＤ３３が出射する光の範囲を示す模式図である。図５に示す遠距離用赤外ＬＥＤ３３は、通常の電流量を供給した場合に出射する光の範囲２７を示してあり、到達距離が３０ｍ、出射する光の方向に対して＋１０度および−１０度の範囲に操作信号を出力することができる。
【００４５】
図６は、広角用赤外ＬＥＤ３４が出射する光の範囲を示す模式図である。図６に示す広角用赤外ＬＥＤ３４は、通常の電流量を供給した場合に出射する光の範囲２８を示してあり、到達距離が１５ｍ、出射する光の方向に対して＋１５度および−１５度の範囲に操作信号を出力することができる。
【００４６】
遠距離用赤外ＬＥＤ３３は、広角用赤外ＬＥＤ３４に比べて到達距離が長いので、たとえば広角用赤外ＬＥＤ３４の到達距離と同じ１５ｍにすると、電流量を減らして消費する電力を低減することができる。そこで、リモコン装置３１は、遠距離用赤外ＬＥＤ３３を用いるときの到達距離を広角用赤外ＬＥＤ３４の到達距離に制限して、消費する電力を低減しつつ、広い範囲に操作信号を出力したいときに、広角用赤外ＬＥＤ３４に切替える。
【００４７】
具体的に、ユーザが、広角モード切替スイッチ３２を操作して、「切」の状態から「入」の状態にすると、入力部２１ａは、「入」の状態の切替信号を生成し、電流量切替部２１ｄに出力する。電流量切替部２１ｄは、「入」の状態の切替信号に基づき、電流を供給する赤外ＬＥＤを遠距離用赤外ＬＥＤ３３から広角用赤外ＬＥＤ３４に切替える。さらに、電流量切替部２１ｄは、「入」の状態の切替信号に基づき、電流制限回路を停止し、出力部２１ｃに供給する電流量を制限しない。そのため、広角用赤外ＬＥＤ３４は、到達距離が１５ｍ、出射する光の方向に対して＋１５度および−１５度の範囲に操作信号を出力することができる。
【００４８】
一方、ユーザが、広角モード切替スイッチ３２を操作して、「入」の状態から「切」の状態にすると、入力部２１ａは、「切」の状態の切替信号を生成し、電流量切替部２１ｄに出力する。電流量切替部２１ｄは、「切」の状態の切替信号に基づき、電流を供給する赤外ＬＥＤを広角用赤外ＬＥＤ３４から遠距離用赤外ＬＥＤ３３に切替える。さらに、電流量切替部２１ｄは、電流制限回路が動作し、出力部２１ｃに供給する電流量を制限する。そのため、遠距離用赤外ＬＥＤ３３は、到達距離が１５ｍ、出射する光の方向に対して＋１０度および−１０度の範囲に操作信号を出力することができる。
【００４９】
以上のように、本発明の実施の形態２に係るリモコン装置３１は、操作信号の届く範囲が広いが、到達距離が短い広角用赤外ＬＥＤ３４から、操作信号の届く範囲が狭いが、到達距離が長い遠距離用赤外ＬＥＤ３３へと、電流量切替部２１ｄが、電流を供給する光源の種類を切替えることで、遠距離用赤外ＬＥＤ３３に供給する電流量を制限しても、広角用赤外ＬＥＤ３４の到達距離に操作信号の届く距離を維持することができる。
【００５０】
なお、リモコン装置３１は、ユーザが使用状況の変化に対応するため、電流量を制限することなく、遠距離用赤外ＬＥＤ３３と、広角用赤外ＬＥＤ３４と切替える構成であってもよい。
【００５１】
また、リモコン装置３１は、広角モード切替スイッチ３２に加えて、低消費電力モード切替スイッチ２１２を設ける構成であってもよい。広角モード切替スイッチ３２および低消費電力モード切替スイッチ２１２を組合わせて用いることで、ユーザが使用状況の変化に対応して多様なモードに切替えることが可能なリモコン装置３１を提供することができる。
【００５２】
たとえば、リモコン装置３１は、広角モード切替スイッチ３２を「入」の状態、低消費電力モード切替スイッチ２１２を「入」の状態とした場合、到達距離が７．５ｍ、出射する光の方向に対して＋１５度および−１５度の範囲に操作信号を出力することができる。リモコン装置３１は、広角モード切替スイッチ３２を「入」の状態、低消費電力モード切替スイッチ２１２を「切」の状態とした場合、到達距離が１５ｍ、出射する光の方向に対して＋１５度および−１５度の範囲に操作信号を出力することができる。リモコン装置３１は、広角モード切替スイッチ３２を「切」の状態、低消費電力モード切替スイッチ２１２を「入」の状態とした場合、到達距離が１５ｍ、出射する光の方向に対して＋１０度および−１０度の範囲に操作信号を出力することができる。リモコン装置３１は、広角モード切替スイッチ３２を「切」の状態、低消費電力モード切替スイッチ２１２を「切」の状態とした場合、到達距離が３０ｍ、出射する光の方向に対して＋１０度および−１０度の範囲に操作信号を出力することができる。
【００５３】
さらに、電流量切替部２１ｄは、入力した切替信号に基づき、電流を供給する赤外ＬＥＤを、遠距離用赤外ＬＥＤ３３および広角用赤外ＬＥＤ３４、遠距離用赤外ＬＥＤ３３のみ、広角用赤外ＬＥＤ３４のみの三つの状態を切替える構成であってもよい。また、電流量切替部２１ｄは、ユーザが、広角モード切替スイッチ３２を操作して、遠距離用赤外ＬＥＤ３３または広角用赤外ＬＥＤ３４を切替える構成に限定するものではなく、たとえば、ユーザが同じボタンを連続して所定の回数を超えて押下した場合、操作信号が表示装置２に届いていないと判断して、自動的に遠距離用赤外ＬＥＤ３３または広角用赤外ＬＥＤ３４を切替える構成であってもよい。
【００５４】
（実施の形態３）
本発明の実施の形態３に係るリモコン装置は、図４に示すリモコン装置３１と同じ構成であるため、図４に示すリモコン装置３１の構成を用いて以下説明する。
【００５５】
実施の形態２に係るリモコン装置３１は、広角モード切替スイッチ３２を「入」の状態のとき、広角用赤外ＬＥＤ３４に電流を供給しているので、広角用赤外ＬＥＤ３４から操作信号が出力されるのみで、遠距離用赤外ＬＥＤ３３から何らの信号も出力されない。
【００５６】
しかし、本実施の形態３に係るリモコン装置３１は、広角モード切替スイッチ３２を「入」の状態のときでも、広角用赤外ＬＥＤ３４から操作信号を出力するときに、遠距離用赤外ＬＥＤ３３からも確認信号を出力する。
【００５７】
図７は、広角用赤外ＬＥＤ３４から操作信号を出力するとき、遠距離用赤外ＬＥＤ３３から出力する確認信号を示す波形図である。図７に示す確認信号は、幅１ｍｓのパルス信号が１０ｍｓの間隔で連続して出力する信号であり、操作信号を出力するときに比べて少ない電流量で出力することができる信号である。なお、当該信号は、周期的なノイズ信号と識別するために、所定の割合で幅０．２ｍｓのパルス信号を混在させてある。
【００５８】
本実施の形態３に係るリモコン装置３１は、広角用赤外ＬＥＤ３４から操作信号を出力するときに、遠距離用赤外ＬＥＤ３３からも確認信号を出力することで、広角用赤外ＬＥＤ３４から出力する操作信号の到達距離外で、遠距離用赤外ＬＥＤ３３から出力する操作信号の到達距離内に表示装置２が存在するか否かを確認することができる。つまり、表示装置２は、広角用赤外ＬＥＤ３４から操作信号が届いていないが、遠距離用赤外ＬＥＤ３３から確認信号が届いている場合、ＯＳＤ表示で「リモコン装置とプロジェクタとの距離が遠く、信号が受信できません。リモコン装置をプロジェクタに近づけてください。」とのメッセージを表示することができる。表示システム１は、前述のようなメッセージを表示することでユーザにリモコン装置３１からの操作信号が届いていないことを気付かせることができる。
【００５９】
なお、広角用赤外ＬＥＤ３４から操作信号と、遠距離用赤外ＬＥＤ３３から確認信号とが同時に出力されると、表示装置２がいずれの信号も認識できない場合は、たとえば、遠距離用赤外ＬＥＤ３３から出力するパルス信号の１５０ｍｓの間隔に、広角用赤外ＬＥＤ３４から操作信号を出力することで、表示装置２がいずれの信号も認識することが可能になる。
【００６０】
以上のように、本実施の形態３に係るリモコン装置３１は、電流量切替部２１ｄにより、広角用赤外ＬＥＤ３４に電流を供給している場合に、遠距離用赤外ＬＥＤ３３は、表示装置２に対して確認信号を出力するので、広角用赤外ＬＥＤ３４から出力した操作信号が届かない範囲で、遠距離用赤外ＬＥＤ３３から出力した操作信号が届く範囲に表示装置２が存在するか否かを確認することができる。
【００６１】
なお、本実施の形態３に係るリモコン装置３１は、遠距離用赤外ＬＥＤ３３から操作信号を出力するときに、広角用赤外ＬＥＤ３４からも確認信号を出力することで、遠距離用赤外ＬＥＤ３３から出力した操作信号が届く範囲外で、広角用赤外ＬＥＤ３４から出力した操作信号が届く範囲内に表示装置２が存在するか否かを確認することができる。つまり、表示装置２は、遠距離用赤外ＬＥＤ３３から操作信号が届いていないが、広角用赤外ＬＥＤ３４から確認信号が届いている場合、ＯＳＤ表示で「リモコン装置がプロジェクタの受信可能な方向になく、信号が受信できません。リモコン装置をプロジェクタの方向に向けてください。」とのメッセージを表示することができる。表示システム１は、前述のようなメッセージを表示することでユーザにリモコン装置３１からの操作信号が届いていないことを気付かせることができる。
【００６２】
（実施の形態４）
本実施の形態４に係るリモコン装置は、図２、図３に示すリモコン装置２１または図４に示すリモコン装置３１と同じ構成であるため、図２、図３に示すリモコン装置２１または図４に示すリモコン装置３１の構成を用いて以下説明する。
【００６３】
本実施の形態４に係るリモコン装置は、信号生成部２１ｂが、操作信号を出力部２１ｃから出力するときの電流量が異なる２以上の種類の信号フォーマットを用いて操作信号を生成することができ、電流量切替部２１ｄが、信号生成部２１ｂで生成する操作信号に用いる信号フォーマットを変更することで、出力部２１ｃに供給する電流量を切替える。
【００６４】
たとえば、信号生成部２１ｂは、操作信号を出力部２１ｃから出力するときの電流量が異なる信号フォーマットＡと信号フォーマットＢとの２種類の信号フォーマットを用いて操作信号を生成することができる。図８は、信号生成部２１ｂが、信号フォーマットＡおよび信号フォーマットＢを用いて生成した操作信号の波形図である。図８に示すように、信号フォーマットＡは、同じボタン（たとえば「１」のボタン）を複数回押下し、同じ操作信号を連続して出力するとき、赤外ＬＥＤがオン状態となる期間の長い操作信号ａが１回目のみ出力され、２回目以降、赤外ＬＥＤがオン状態となる期間の短い繰返しを示す操作信号ｂが出力される。一方、信号フォーマットＢは、同じボタン（たとえば「１」のボタン）を複数回押下し、同じ操作信号を連続して出力するとき、赤外ＬＥＤがオン状態となる期間の長い操作信号ａがすべて回で出力される。
【００６５】
そのため、信号生成部２１ｂは、同じボタンを複数回押下し、同じ操作信号を連続して出力するとき、信号フォーマットＡを用いて操作信号を生成する場合、信号フォーマットＢを用いて操作信号を生成する場合に比べて、出力部２１ｃに供給する電流量を低減することができる。
【００６６】
以上のように、本実施の形態４に係るリモコン装置は、電流量切替部２１ｄが、信号生成部２１ｂで生成する操作信号に用いる信号フォーマットを変更することで、出力部２１ｃに供給する電流量を切替えることができ、操作信号を出力するときに出力部２１ｃで消費する電力をより少ない信号フォーマット（たとえば、信号フォーマットＡ）に変更して、消費する電力を低減して電池の消耗を減らすことができる。
【００６７】
なお、本実施の形態４に係るリモコン装置は、広角モード切替スイッチ３２および／または低消費電力モード切替スイッチ２１２を設ける構成であってもよい。たとえば、本実施の形態４に係るリモコン装置は、信号フォーマットＡを用いて操作信号を生成する場合、低消費電力モード切替スイッチ２１２を「切」の状態にしても、消費する電力を低減することができる。また、本実施の形態４に係るリモコン装置は、信号フォーマットＡを用いて操作信号を生成する場合、低消費電力モード切替スイッチ２１２を「切」、広角モード切替スイッチ３２を「入」の状態にしても、消費する電力を低減しつつ、操作信号を広い範囲に出力することができる。
【００６８】
（実施の形態５）
図９は、本発明の実施の形態５に係るリモコン装置４１の外観の構成を示す概略図である。図９に示すリモコン装置４１は、入力部２１ａが、低消費電力モード切替スイッチ２１２に代えて、個数モード切替スイッチ４２を有し、出力部２１ｃが、赤外ＬＥＤ２２に代えて、２個の遠距離用赤外ＬＥＤ３３、２個の広角用赤外ＬＥＤ３４を有する構成以外、図２および図３に示すリモコン装置２１または図４に示すリモコン装置３１に示す構成と同じであるため、同じ構成要素に、同じ符号を付して詳細な説明を繰り返さない。また、リモコン装置４１を、図１に示す表示システム１のリモコン装置２１に代えて用いることも可能である。
【００６９】
出力部２１ｃが有する四つの赤外ＬＥＤ（２個の遠距離用赤外ＬＥＤ３３，２個の広角用赤外ＬＥＤ３４）は、光源から出射する光の指向性が異なる。遠距離用赤外ＬＥＤ３３は、広角用赤外ＬＥＤ３４に比べて出射する光の指向性が強く、より遠距離まで操作信号を出力することができる。一方、広角用赤外ＬＥＤ３４は、遠距離用赤外ＬＥＤ３３に比べて、より広い範囲に操作信号を出力することができる。遠距離用赤外ＬＥＤ３３同士、または広角用赤外ＬＥＤ３４同士は、光源から出射する光の指向性が同じであっても、異なっていてもよい。
【００７０】
電流量切替部２１ｄは、１個の遠距離用赤外ＬＥＤ３３に電流を供給するか、２個の遠距離用赤外ＬＥＤ３３に電流を供給するかを切替えることができる。出力部２１ｃは、１個の遠距離用赤外ＬＥＤ３３に電流を供給する場合に比べ、２個の遠距離用赤外ＬＥＤ３３に電流を供給する場合、操作信号の到達距離が長くなる。また、電流量切替部２１ｄは、１個の広角用赤外ＬＥＤ３４に電流を供給するか、２個の広角用赤外ＬＥＤ３４に電流を供給するかを切替えることができる。出力部２１ｃは、１個の広角用赤外ＬＥＤ３４に電流を供給する場合に比べ、２個の広角用赤外ＬＥＤ３４に電流を供給する場合、操作信号の届く範囲が広くなる。
【００７１】
具体的に、ユーザが、個数モード切替スイッチ４２を操作して、「１個」の状態から「２個」の状態にすると、入力部２１ａは、「２個」の状態の切替信号を生成し、電流量切替部２１ｄに出力する。電流量切替部２１ｄは、「２個」の状態の切替信号に基づき、１個の遠距離用赤外ＬＥＤ３３に供給していた電流を、２個の遠距離用赤外ＬＥＤ３３に供給するように切替える。一方、ユーザが、個数モード切替スイッチ４２を操作して、「２個」の状態から「１個」の状態にすると、入力部２１ａは、「１個」の状態の切替信号を生成し、電流量切替部２１ｄに出力する。電流量切替部２１ｄは、「１個」の状態の切替信号に基づき、２個の遠距離用赤外ＬＥＤ３３に供給していた電流を、１個の遠距離用赤外ＬＥＤ３３に供給するように切替える。
【００７２】
また、出力部２１ｃとして広角用赤外ＬＥＤ３４を利用する場合、ユーザが、個数モード切替スイッチ４２を操作して、「１個」の状態から「２個」の状態にすると、入力部２１ａは、「２個」の状態の切替信号を生成し、電流量切替部２１ｄに出力する。電流量切替部２１ｄは、「２個」の状態の切替信号に基づき、１個の広角用赤外ＬＥＤ３４に供給していた電流を、２個の広角用赤外ＬＥＤ３４に供給するように切替える。一方、ユーザが、個数モード切替スイッチ４２を操作して、「２個」の状態から「１個」の状態にすると、入力部２１ａは、「１個」の状態の切替信号を生成し、電流量切替部２１ｄに出力する。電流量切替部２１ｄは、「１個」の状態の切替信号に基づき、２個の広角用赤外ＬＥＤ３４に供給していた電流を、１個の広角用赤外ＬＥＤ３４に供給するように切替える。
【００７３】
以上のように、本発明の実施の形態２に係るリモコン装置３１は、点灯する遠距離用赤外ＬＥＤ３３または広角用赤外ＬＥＤ３４の個数を変更することで、出力部２１ｃに供給する電流量を制限して、消費する電力を低減することができる。
【００７４】
なお、本実施の形態５に係るリモコン装置４１は、広角モード切替スイッチ３２および／または低消費電力モード切替スイッチ２１２を設ける構成であってもよい。
【００７５】
また、本実施の形態５に係るリモコン装置４１は、出力部２１ｃとして遠距離用赤外ＬＥＤ３３または広角用赤外ＬＥＤ３４のいずれかを利用する場合について説明したが、２個の遠距離用赤外ＬＥＤ３３および２個の広角用赤外ＬＥＤ３４の計４個の赤外ＬＥＤに電流を供給する状態と、１個の遠距離用赤外ＬＥＤ３３および１個の広角用赤外ＬＥＤ３４の計２個の赤外ＬＥＤに電流を供給する状態とを切替える構成などであってもよい。
【００７６】
さらに、本実施の形態５に係るリモコン装置４１は、遠距離用赤外ＬＥＤ３３および広角用赤外ＬＥＤ３４の個数は同数の場合に限定されるものでない。また、本実施の形態５に係るリモコン装置４１は、２個の遠距離用赤外ＬＥＤ３３および２個の広角用赤外ＬＥＤ３４の個数は同数の場合に限定されるものでない。
【００７７】
今回開示された実施の形態は、すべての点で例示であって制限的なものではないと考え
られるべきである。本発明の範囲は、上記した実施の形態の説明ではなくて特許請求の範囲によって示され、特許請求の範囲と均等の意味および範囲内でのすべての変更が含まれ
ることが意図される。
【符号の説明】
【００７８】
１  表示システム、２  表示装置、９  入力端子、１０  レシーバ、１１  映像信号処理回路、１３  メインマイコン、１４  光源、１５  光学系、１６  ランプ、１７  電源ユニット、１８  電源プラグ、１９  コネクタ、２０  リモコン入力部、２１，３１，４１  リモコン装置、２１ａ  入力部、２１ｂ  信号生成部、２１ｃ  出力部、２１ｄ  電流量切替部、２３  電池、２７，２８  光の範囲、３２  広角モード切替スイッチ、３３  遠距離用赤外ＬＥＤ、３４  広角用赤外ＬＥＤ、４２  個数モード切替スイッチ、２１０  電源ボタン、２１１  上下左右ボタン、２１２  低消費電力モード切替スイッチ。
【図１】
2012239115.tif 000003
【図２】
2012239115.tif 000004
【図３】
2012239115.tif 000005
【図４】
2012239115.tif 000006
【図５】
2012239115.tif 000007
【図６】
2012239115.tif 000008
【図７】
2012239115.tif 000009
【図８】
2012239115.tif 000010
【図９】
2012239115.tif 000011